【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
横方向に伸縮可能な繊維材料のウェブを形成するための方法であって、
前記方法は、
縦軸から縁部まで厚みが増している、弾性材料の、液体透過性のエンドレスコンベアベルト（２，２’）を、少なくとも１つの局所的な横方向への延伸操作にさらし、延伸は、少なくとも１つの縦方向のバンドを、前記バンドが通常摺動する表面から一時的に引っ込めること、および、延伸状態で、少なくとも１つの支持部材（４，４’，１０）の表面の少なくとも一部と接触したまま前記バンドを維持することによって達成され、
前記方法は、
横方向に延伸した弾性材料の前記コンベアベルト（２，２’）の部分に対して、３重量％から７０重量％の液体含有量を有する柔軟な繊維材料のウェブ（１６）を堆積させ、
前記ウェブ（１６）の横方向への圧縮と、それと同時の液体の部分的な除去を引き起こすために、元々の構造に戻る間、真空効果によって、柔軟な繊維材料の前記ウェブ（１６）を、弾性材料の前記コンベアベルト（２，２’）に付いたまま維持する、方法。
【請求項２】
穴の開いた外側面を有するとともに、一対の周辺溝（６）が設けられた、実質的に剛体材料のローラー（４）からなる支持部材上に取り付けられた弾性材料のスリーブ（２）をコンベアベルトとして使用し、前記スリーブ（２）が前記ローラー（４）の端部にその両方の縁部で固定され、および、
前記周辺溝（６）を覆う２つの周辺バンドを、前記溝に一時的に挿入することによって、前記スリーブ（２）の横方向への延伸を引き起こす、請求項１に記載の方法。
【請求項３】
前記支持ローラーの軸に対して平行な軸を有するとともに前記溝に対応する位置に配される、一対の押圧ローラー（１２）によって、支持ローラー（４）の溝（６）を覆う弾性スリーブ（２）の２つの周辺バンドを、一時的に挿入する、請求項２に記載の方法。
【請求項４】
一対の間を開けて配されたローラー（１８）からなる、支持部材上に取り付けられた弾性材料のスリーブ（２）を、エンドレスコンベアベルトとして用い、
前記間を開けて配されたローラー（１８）によって定義される周辺の空洞を覆う中央のバンドを、前記空洞から一時的に引っ込めることによって、弾性材料の前記スリーブ（２）の横方向への延伸を引き起こす、請求項１に記載の方法。
【請求項５】
固定された押圧部品（２２’）が、接触している前記スリーブの部分に作用することに加えて、２つのローラー（１８）によって定義される空洞から前記スリーブを引っ込めるという意味で、前記ローラー（１８）のシャフトに対して平行にスリーブを延伸させる、固定された押圧部品（２２’）の作用に、弾性スリーブ（２）をさらす、請求項４に記載の方法。
【請求項６】
前記ローラーの回転シャフトの外部延長部（４０）に端部で固定される前記スリーブ（２）の軸長さよりも短い軸長さを有する、支持ローラー（４）上に取り付けられた弾性材料のスリーブ（２）を、エンドレスコンベアベルトとして用い、
前記支持ローラー（４）の軸に対して平行な軸と、軸長さよりも長い離間した距離とを有し、前記ローラーを超えて突出する前記スリーブの部分が軸に到達するように、前記軸に対して垂直に平行移動するように作られた、一対の押圧ローラー（１２）によって、弾性材料の前記スリーブ（２）の横方向への延伸を引き起こす、請求項１に記載の方法。
【請求項７】
局所的な横方向への延伸だけでなく、局所的な縦方向への延伸に、エンドレスコンベアベルト（２，２’）をさらし、その後、すでに縦方向に延伸されて、最初の構造へと弾性的に戻りつつあるコンベアベルトの部分に、柔軟な繊維材料の前記ウェブ（１６）を堆積させる、請求項１乃至６の１以上に記載の方法。
【請求項８】
横方向への圧縮と、場合によっては縦方向への圧縮に、柔軟な紙材料のウェブ（１６）をさらすだけでなく、得られた繊維材料に、対応する特定の特徴を与えることができる物質による含浸処理にもウェブ（１６）をさらす、請求項１乃至７の１以上に記載の方法。
【請求項９】
３％から７０％の水含有量を有する柔軟な繊維材料のウェブ（１６）から、横方向に伸縮可能な繊維材料を生成するための装置であって、
前記装置は、
縦軸から縁部に向かって厚みが増加している、弾性材料の、流体透過性のエンドレスコンベアベルト（２，２’）、
少なくとも１つの縦軸バンドが通常摺動する表面から、前記縦軸バンドを引っ込めた後に、前記エンドレスコンベアベルト（２，２’）の局所的な横方向への延伸を引き起こすための、および、延伸した状態において、少なくとも１つの支持部材（４，４’）の表面の少なくとも一部に付いたまま、前記ベルトを維持するための手段、
エンドレスコンベアベルトの横方向に延伸する部分上に、柔軟な繊維材料の前記ウェブ（１６）を堆積させるための手段、
前記ベルトの元々の構造への弾性的な戻りの間、前記ベルトに付いたまま柔軟な繊維材料の前記ウェブを維持するために、この手法で、柔軟な繊維材料の前記ウェブの横方向への圧縮と、それと同時にそこからの液体の部分的な除去を引き起こすために、前記エンドレスコンベアベルト（２，２’）を介して作用する、少なくとも１つの固定された真空ソース（１０）、
を含む、装置。
【請求項１０】
エンドレスコンベアベルト（２，２’）はスリーブからなり、支持部材は、穴の開いた外側面を有する実質的な剛体材料のローラー（４，４’）からなり、前記スリーブによって覆われる、請求項９に記載の装置。
【請求項１１】
前記ローラー（４，４’）には、両方の縁部で前記ローラーの端部に固定された前記スリーブ（２，２’）によって覆われる、少なくとも１つの周辺溝（６）が設けられる、請求項１０に記載の装置。
【請求項１２】
前記支持ローラー（４，４’）の軸に平行な軸を有し、前記スリーブ（２）の前記周辺溝（６）への一時的な局所的挿入を引き起こすという意味で作用する、一対の押圧ローラー（１２）を含む、請求項１乃至１１の１以上に記載の装置。
【請求項１３】
穴の開いた外側面を有し、一対の周辺溝（６）が設けられた、実質的に剛体材料のローラー（４，４’）の周りに巻かれたスリーブ（２）からなる、エンドレスコンベアベルトを含み、前記スリーブは、両方の縁部で前記ローラー（４，４’）の端部に固定され、
シャフト（１４）の軸に対して垂直に平行移動可能な、前記シャフト（１４）に取り付けられた一対の押圧ローラー（１２）であって、前記押圧ローラーを前記周辺溝（６）に挿入する、および、この手法で、前記溝を覆う前記スリーブの部分を前記溝に引き込む、一対の押圧ローラー（１２）をさらに含む、請求項１乃至１２の１以上に記載の装置。
【請求項１４】
周辺溝が中央に設けられた実質的に剛体材料のローラー（４）の周りに巻かれたスリーブ（２）からなるエンドレスコンベアベルトを含み、前記スリーブは両方の縁部で前記ローラー（４）の端部に固定され、および、
挿入によって前記周辺溝に入るという意味で作用する、および、この手法で前記スリーブ（２）の中央バンドを溝に引き込む、一対の押圧ローラー（１２）をさらに含む、請求項１乃至１３の１以上に記載の装置。
【請求項１５】
エンドレスコンベアベルト（２，２’）内で局所的な縦方向への延伸を引き起こすための手段と、すでに縦方向に延伸して、最初の構造へと弾性的に戻りつつあるコンベアベルト部分上に、柔軟な繊維材料の前記ウェブ（１６）を堆積させるための手段をさらに含む、請求項１乃至１４の１以上に記載の装置。